(57)【特許請求の範囲】
【請求項１】
左右に配置された両側壁体(2)(2)の間に着脱自在な支持ピン(4)を介して棚部材(5)を架設すると共に、多数の棚部材５を上下に配置せしめた商品陳列棚装置において、
両側壁体(2)(2)は、正面向きの前縁面(6)を、下端部から上下方向中途部の間において上向きに傾斜せしめられ、上下方向中途部から上端部の間において下向きに傾斜せしめられるように、全体としてほぼ円弧状に形成されており、両側壁体(2)(2)の相対向する内側面に、前記ほぼ円弧状の前縁面(6)に近傍すると共にほぼ平行に延びる前側円弧ラインＦＣに沿って間隔を密にして列設された前孔群から成る前側孔列(27)を形成すると共に、前側円弧ラインに間隔をあけてほぼ平行に延びる後側円弧ラインＲＣに沿って間隔を密にして列設された後孔群から成る後側孔列(28)を形成し、上下方向中途部において選択された特定の前孔(27a)と後孔(28a)の何れか一方又は両方を指示するマーク(36)が設けられており、
各棚部材(5)は、商品載置面を構成する棚板部(34)の後縁から起立せしめられた背板部(35)の抱持部(35b)を後側孔列(28)から選択された後孔(28a)に挿着された支持ピン(4b)に回動自在に吊持せしめると共に、棚板部(34)の前縁下部を前側孔列(27)から選択された前孔(27a)に挿着された支持ピン(4a)に載置せしめることにより、棚板部(34)の載置面が両側壁体(2)(2)の前縁面(6)により形成された円弧の中心に向かう姿勢となるように取付けられ、
前記マーク(36)により指示された孔と支持ピンを介して取付けられた棚部材(5)を基準として順次、隣り合う棚部材(5)(5)における棚板部(34)と背板部(35)が相互に近接するように取付けることにより、それぞれの棚部材(5)が棚板部(34)の載置面を前記前縁面(6)の円弧の中心に向かわしめる姿勢として取付けられるように構成して成ることを特徴とする商品陳列棚装置。
【請求項２】
両側壁体(2)(2)における前縁面(6)(6)の最上端部に形成された下向き傾斜面(6a)(6a)の間に、正面壁(8a)にパネル型のディスプレイ装置(9)を取付けた表示盤(8)を架設すると共に、該下向き傾斜面(6a)(6a)に対して表示盤(8)の両側縁をほぼ沿わしめることにより、表示盤(8)の正面壁(8a)と共にディスプレイ装置(9)を下向き傾斜せしめた状態で取付けて成ることを特徴とする請求項１に記載の商品陳列棚装置。
【請求項３】
表示盤(8)と両側壁体(2)(2)の間に、表示盤(8)の下向き傾斜角度を調整自在とする角度調整手段(17)を設けて成ることを特徴とする請求項２に記載の商品陳列棚装置。
【請求項４】
両側壁体(2)(2)の最下端部の間に、前記ディスプレイ装置(9)に画像を映写せしめる画像信号供給手段(18)を収納する収納空間部(19)を設け、該収納空間部(19)を前面から開閉自在に施蓋する開閉板(25)を設けて成ることを特徴とする請求項２又は３に記載の商品陳列棚装置。
【発明の詳細な説明】
【０００１】
【発明の属する技術分野】
本発明は、ビデオカセットや、ＤＶＤのようなディスク等、ソフトを収録した記録媒体であって、ケースに収納された商品を店舗において陳列又は展示するための商品陳列棚装置に関する。
【０００２】
【従来の技術】
従来、例えば、レンタルや販売を目的としたビデオショップ等においては、記録媒体をケースに収納して成る商品を、陳列棚装置の棚に載置列設することにより陳列又は展示し、レンタル又は販売のために供している。
【０００３】
通常、陳列棚装置は、左右に配置された両側壁体の間に着脱自在な支持ピンを介して棚部材を架設した構成であり、多数の棚部材を上下に配置せしめている。この際、棚部材は、ほぼ水平な棚板部と、棚板部の後縁から起立せしめられた背板部を備えている。
【０００４】
【発明が解決しようとする課題】
従来、ビデオショップ等において、例えば、新作のソフトを収録した記録媒体が入荷されたときは、その写真や説明書等を陳列棚装置の適所に貼付けることにより顧客の注意を惹起せしめ、販売促進を図っている。また、店舗の入口等に、ビデオデッキ等の画像信号供給手段を備えたテレビディスプレイ装置を設置し、ソフトの画像を映写することにより販売促進を図る場合もある。
【０００５】
この点に関して、販促効果の点からすれば、ディスプレイ装置は、陳列棚装置に設置し、陳列された商品の近傍でソフトの画像を映写せしめることが好ましいが、ディスプレイ装置により商品陳列スペースが犠牲になってはならないという問題がある。また、従来のブラウン管によるＣＲＴディスプレイ装置では、大重量であるため、高所に取付けると陳列棚装置が転倒する虞れがあり、安全に関して問題がある。
【０００６】
更に、陳列棚装置における商品の陳列容量を大きくするためには、必然的に背の高いものとすることにより、多数の棚部材を上下に配置せしめる必要がある。然しながら、全ての棚部材の棚板部を水平面上に取付ける構成とした場合、下側の棚板部や、上側の棚板部においては、載置された商品が水平面上で前向きに表示されるため、顧客が視認し難く、また、取り出し難いという問題がある。
【０００７】
【課題を解決するための手段】
本発明は、液晶やプラズマ等によるパネル型のディスプレイ装置によれば、軽量であるため、陳列棚装置の高所に取付けても転倒の虞れがなく安全であり、陳列された商品の近傍でソフトの画像を映写せしめ、商品の販促に資することが可能になることを知見し、このようなパネル型のディスプレイ装置を取付けた陳列棚装置を提供することを第一の目的とする。
【０００８】
この点に関して、商品陳列スペースに犠牲が生じないようにするためには、陳列棚装置の可及的高所にディスプレイ装置を取付けることが好ましいが、その場合、狭い店舗内においては、ディスプレイ装置を下向き傾斜姿勢としなければ、顧客に対して容易に視認せしめることができない。
【０００９】
そこで、本発明は、陳列棚装置の最上端部にディスプレイ装置を下向き傾斜姿勢の状態で取付け可能にすると共に、ディスプレイ装置が陳列棚装置から大きく前方に突出することなく、具合良くコンパクトに納まるように構成するため、棚部材を架設せしめるために左右に配置された両側壁体の正面向きの前縁面を、下端部から上下方向中途部の間において上向きに傾斜せしめられ、上下方向中途部から上端部の間において下向きに傾斜せしめられるように、全体としてほぼ円弧状に形成することが好ましいことを知見した。このような構成によれば、両側壁体における最上端部の下向き傾斜せしめられた前縁面に対して、ディスプレイ装置を取付けた表示盤の両側縁をほぼ沿わしめることにより、コンパクトに納められた状態で、表示盤の正面壁と共にディスプレイ装置を下向き傾斜せしめることができる。従って、本発明は、前縁面をほぼ円弧状に形成した両側壁体を備えた商品陳列棚装置を提供することを第二の目的とする。
【００１０】
ところで、第二の目的のように、両側壁体の前縁面をほぼ円弧状に形成した場合、両側壁体の間に架設される棚部材は、棚板部の載置面を円弧の中心に向かわしめる姿勢として取付けるように構成することが可能になる。即ち、下側に取付けられる棚部材は、棚板部を前向きに上り傾斜姿勢とされ、上側に取付けられる棚部材は、棚板部を前向きに下り傾斜姿勢とされるので、それぞれの棚板部に載置した商品を顧客が視認し易く、また取り出し易いという利点がある。従って、本発明は、第二の目的と密接に関係した状態で、両側壁体の相対向する内側面に、ほぼ円弧状の前縁面に近傍すると共にほぼ平行に延びる前側円弧ラインに沿って間隔を密にして列設された前孔群から成る前側孔列を形成すると共に、前側円弧ラインに間隔をあけてほぼ平行に延びる後側円弧ラインに沿って間隔を密にして列設された後孔群から成る後側孔列を形成し、棚部材のほぼ水平な棚板部の前縁下部を前側孔列から選択された前孔に挿着された支持ピンに載置せしめると共に、棚板部の後縁から起立せしめられた背板部の上縁背部を後側孔列から選択された後孔に挿着された支持ピンに支持せしめるように構成した商品陳列棚装置を提供することを第三の目的とする。
【００１１】
そこで、本発明が第一の手段として構成したところは、左右に配置された両側壁体の間に着脱自在な支持ピンを介して棚部材を架設すると共に、多数の棚部材を上下に配置せしめた商品陳列棚装置において、両側壁体は、正面向きの前縁面を、下端部から上下方向中途部の間において上向きに傾斜せしめられ、上下方向中途部から上端部の間において下向きに傾斜せしめられるように、全体としてほぼ円弧状に形成されており、両側壁体の相対向する内側面に、前記ほぼ円弧状の前縁面に近傍すると共にほぼ平行に延びる前側円弧ラインＦＣに沿って間隔を密にして列設された前孔群から成る前側孔列を形成すると共に、前側円弧ラインに間隔をあけてほぼ平行に延びる後側円弧ラインＲＣに沿って間隔を密にして列設された後孔群から成る後側孔列を形成し、上下方向中途部において選択された特定の前孔と後孔の何れか一方又は両方を指示するマークが設けられており、各棚部材は、商品載置面を構成する棚板部の後縁から起立せしめられた背板部の抱持部を後側孔列から選択された後孔に挿着された支持ピンに回動自在に吊持せしめると共に、棚板部の前縁下部を前側孔列から選択された前孔に挿着された支持ピンに載置せしめることにより、棚板部の載置面が両側壁体の前縁面により形成された円弧の中心に向かう姿勢となるように取付けられており、前記マークにより指示された孔と支持ピンを介して取付けられた棚部材を基準として順次、隣り合う棚部材における棚板部と背板部が相互に近接するように取付けることにより、それぞれの棚部材が棚板部の載置面を前記前縁面の円弧の中心に向かわしめる姿勢として取付けられるように構成して成る点にある。
【００１２】
そして、本発明が第二の手段として構成したところは、両側壁体における前縁面の最上端部に形成された下向き傾斜面の間に、正面壁にパネル型のディスプレイ装置を取付けた表示盤を架設すると共に、該下向き傾斜面に対して表示盤の両側縁をほぼ沿わしめることにより、表示盤の正面壁と共にディスプレイ装置を下向き傾斜せしめた状態で取付けて成る点にあり、この際、表示盤と両側壁体の間に、表示盤の下向き傾斜角度を調整自在とする角度調整手段を設けることが好ましい。
【００１３】
更に、本発明が第三の手段として構成したところは、両側壁体の最下端部の間に、前記ディスプレイ装置に画像を映写せしめる画像信号供給手段を収納する収納空間部を設け、該収納空間部を前面から開閉自在に施蓋する開閉板を設けた点にある。
【００１４】
【発明の実施の形態】
以下図面に基づいて本発明の好ましい実施形態を詳述する。
【００１５】
図１は商品陳列棚装置を分解状態で示す斜視図、図２は商品陳列棚装置を組付状態で示す斜視図、図３は図２の縦断面図である。商品陳列棚装置１は、左右に起立配置された両側壁体２、２を連結バー３により連結した構成とされ、両側壁体２、２の間に着脱自在な前側の支持ピン４ａ及び後側の支持ピン４ｂを介して棚部材５を架設すると共に、多数の棚部材５を上下に配置せしめた構成とされている。尚、両側壁体２、２は、それぞれ板金製の中空盤状に形成されている。
【００１６】
両側壁体２、２は、正面向きの前縁面６を、下端部から上下方向中途部の間において上向きに傾斜せしめられ、上下方向中途部から上端部の間において下向きに傾斜せしめられるように、全体としてほぼ円弧状に形成されており、これにより前縁面６の最上端部には下向き傾斜面６ａが形成される。尚、前縁面６の最下端部には鉛直線に沿う直線面６ｂが形成されている。また、図例の場合、両側壁体２、２の背面向きの後縁面７は、鉛直線に沿う直線面が形成されている。
【００１７】
両側壁体２、２の最上端部の間には、表示盤８が架設され、該表示盤８は、板金製の中空盤状に形成されており、正面壁８ａにパネル型のディスプレイ装置９が取付けられ、背面壁８ｂに窓孔１０を開設している。即ち、窓孔１０から工具を挿入することにより、正面壁８ａにディスプレイ装置９が取付けられる。ディスプレイ装置９は、液晶やプラズマ等による薄型パネル型であり、軽量なものとされている。尚、図例の場合、図２に示すように、ディスプレイ装置９は、表示盤８の正面壁８ａに対して左右何れか一方に偏位して取付けられ、正面壁８ａの露出壁面をポスター等の表示シートを貼着するための表示面８Ｅとして利用される。
【００１８】
図３及び図４に示すように、表示盤８は、両側壁体２、２における最上端部の下向き傾斜面６ａに対して、表示盤８の両側縁壁８ｃ、８ｃをほぼ沿わしめた状態で両側壁体２、２の間に架設され、これにより表示盤８の正面壁８ａとディスプレイ装置９を下向き傾斜せしめた状態で取付けられる。
【００１９】
両側壁体２、２に対して表示盤８を下向き傾斜姿勢で取付けるため、図示実施形態の場合、表示盤８の両側縁壁８ｃ、８ｃを下側において取付けるボルト等の下側取付手段１１と、上側において取付けるボルト等の上側取付手段１２とが設けられている。これらのボルト等から成る取付手段１１、１２は、両側縁壁８ｃ、８ｃにそれぞれ対応して設けた下側通孔１３及び上側通孔１４（図１参照）に挿通せしめられ、両側壁体２、２にそれぞれ対応して設けられたナット付き又は雌ネジ付きの下側取付孔１５及び上側取付孔１６（図１参照）に対して挿着される。尚、このような挿着作業は、窓孔１０から工具を挿入することにより行うことができる。
【００２０】
表示盤８の両側縁壁８ｃ、８ｃと両側壁体２、２の間において、取付手段１１、１２には、表示盤８の下向き傾斜角度を調整自在とする角度調整手段１７が設けられている。図例の場合、下側取付孔１５を中心とする円弧線上に間隔をあけて設けられた複数の上側取付孔１６ａ、１６ｂ、１６ｃ、１６ｄにより角度調整手段１７を構成している。従って、例えば、図４（Ａ）に示すように、上側取付手段１２の取付位置として、前面６ａから最初の上側取付孔１６ａを選択したとき、表示盤８及びディスプレイ装置９の下向き傾斜角度θ１は大きく、次の上側取付孔１６ｂを選択したとき、表示盤８及びディスプレイ装置９の下向き傾斜角度θ２は小さく、以下、順次、上側取付孔１６ｃ、１６ｄを選択することにより、下向き傾斜角度は次第に小さくなる。従って、ディスプレイ装置９の下向き傾斜角度は、陳列棚装置１を設置する店舗の広さや、設置場所に応じて、顧客が最も視認し易い角度となるように調整できる。
【００２１】
角度調整手段１７は、上述のような複数の取付孔１６ａ、１６ｂ、１６ｃ、１６ｄに限定されるものではなく、種々の構成を採用することが可能である。例えば、複数の取付孔に代えて、長孔により構成しても良い。また、図示実施形態の場合、下側取付手段１１を支点として上側取付手段１２の取付位置を調整する構成としたが、これとは反対に、上側取付手段１２を支点として下側取付手段１１の取付位置を調整するように構成しても良い。
【００２２】
図１及び図２並びに図５に示すように、ディスプレイ装置９に動画等の画像を映写せしめるために、商品として陳列されるソフト記録媒体の中から選ばれたビデオカセットやＤＶＤを駆動するためのビデオデッキやＤＶＤデッキ等の画像信号供給手段１８が、両側壁体２、２の最下端部の間に形成された収納空間部１９に収納される。図例の場合、両側壁体２、２に架設された底板２０により収納空間部１９の底部を区成しているが、このような底板２０を設けることなく、陳列棚装置１が設置される床面により収納空間部１９の底部を区成せしめるように構成しても良い。
【００２３】
この際、図１及び図２に示すように、両側壁体２、２の最下端部の間における前面には、幕板部材２１が固着されており、該幕板部材２１は、両側壁体２、２の最下端部の間を門形状に縁取る額縁部２２と、額縁部２２から収納空間部１９に近づくように偏位して設けられた閉鎖板部２３と、額縁部２２と閉鎖板部２３の上端を覆う天蓋部２４（図５参照）とを構成しており、閉鎖板部２３の中央部分を分割することにより開閉板２５を形成している。
【００２４】
開閉板２５は、図５に示すように、上端に蝶番等のヒンジ手段２６を設けており、図示鎖線で示すように、収納空間部１９を前面から開閉自在ならしめ、これにより、陳列棚装置１を店舗の所望の場所に設置した状態で、収納空間部１９に収納したデッキ等の画像信号供給手段１８に対して、選択したビデオカセットやＤＶＤ等のソフト記録媒体を自由にセットすることができる。
【００２５】
図１に示すように、両側壁体２、２は、全体をほぼ円弧状とした前縁面６を有する構成に基づいて、両側壁体２、２の相対向する内側面に、前縁面６に近傍すると共にその円弧とほぼ平行に延びる前側円弧ラインＦＣに沿って間隔を密にして列設された前孔群から成る前側孔列２７を形成すると共に、前側円弧ラインＦＣに対して間隔をあけてほぼ平行に延びる後側円弧ラインＲＣに沿って間隔を密にして列設された後孔群から成る後側孔列２８を形成している。
【００２６】
前側孔列２７及び後側孔列２８を構成する前孔２７ａ及び後孔２８ａは、それぞれ、図６に示すように、径大孔２９の下側に径小孔３０を連通連設せしめたダルマ形の孔を構成し、支持ピン４を着脱自在に挿着せしめるように構成されている。このため、支持ピン４は、径大孔２９に挿入自在なフランジ部３２と、径小孔３０に嵌入自在なネック部３３とを備えている。従って、フランジ部３２を径大孔２９に挿入した状態で支持ピン４を下向きに移動せしめ、ネック部３３を径小孔３０に嵌入せしめれば、支持ピン４が抜止状態で挿着される。尚、これと反対の作業を行えば、支持ピン４を抜き取ることができる。
【００２７】
棚部材５は、板金製の断面ほぼＬ形の板部材から成り、ほぼ水平な棚板部３４と、棚板部３４の後縁から起立せしめられた背板部３５を備えている。棚板部３４は、前縁から下向きに折り返し部３４ａを延設すると共に、折り返し端から棚板部３４の下面に向けて起立する係止部３４ｂを折曲形成している。また、背板部３５は、上縁から後方に折り返し部３５ａを延設し、折り返し部３５ａの下向き自由端縁により抱持部３５ｂを形成している。尚、図示省略しているが、棚板部３４及び／又は背板部３５には、商品仕切用の仕切板等を挿脱自在に挿着可能とするスリット等が形成されている。
【００２８】
そこで、棚部材５は、両側壁体２、２における前孔２７ａに挿着された支持ピン４ａに棚板部３４の前縁下部を載置せしめられ、後孔２８ａに挿着された支持ピン４ｂに背板部３５の上縁背部を支持せしめられる。この際、図６（Ｂ）に示すように、棚板部３４の係止部３４ｂが前孔２７ａの支持ピン４ａに前方から係止され、背板部３５の抱持部３５ｂが後孔２８ａの支持ピン４ｂを抱持する。即ち、背板部３５が抱持部３５ｂを介して後孔２８ａの支持ピン４ｂに吊持され、棚板部３４が係止部３４ｂを介して支持ピン４ａにより後方移動を阻止された状態で係止される。
【００２９】
上下に配置される多数の棚部材５、５は、図２に示すように、棚板部３４の前縁を上下に間隔をあけて平行に配置され、最下部の棚部材５ａの棚板部３４が幕板部材２１の額縁部２２に沿わしめられ、順次、上方に配置される棚部材５、５が相互に近接して配置される。このため、図６（Ａ）に示すように、前側孔列２７の上下方向中途部において選択された特定の前孔２７ａを指示するマーク３６が設けられており、上下に配置される棚部材５、５のうち、作業者が起立姿勢で最初に容易に取付けることができる上下方向中途部における棚部材５の取付が指示されている。従って、作業者は、マーク３６により指示された前孔２７ａに支持ピン４を挿着すると共に、その位置に棚部材５を取付けることにより、その棚部材５を基準として、以後は、順次、隣り合う棚部材５、５の棚板部３４と背板部３５が相互に近接するようにして取付ければ、最下部の棚部材５ａは、棚板部３４が幕板部材２１の額縁部２２に沿わしめられる。因みに、このようなマーク３６は、選択された特定の前孔２７ａと後孔２８ａの何れか一方又は両方に設ければ良い。尚、図例の場合、マーク３６を小孔により構成しているが、このような構成に限定されるものではない。
【００３０】
上記のようにして取付けられた上下多段状の棚部材５・・・５は、図３に示すように、棚板部３４の載置面を両側壁体２、２の前縁面６により形成された円弧の中心に向かわしめる姿勢として取付けられる。即ち、下側に取付けられる棚部材５は、棚板部３４を前向きに上り傾斜姿勢とされ、上側に取付けられる棚部材５は、棚板部３４を前向きに下り傾斜姿勢とされるので、それぞれの棚板部３４に載置した商品は、顧客にとって、視認し易く、取り出し易いものとなる。
【００３１】
然しながら、例えば、上側に取付けられる棚部材５の棚板部３４が、前向きの下り傾斜姿勢を顕著な角度とする場合は、載置した商品が滑落し易くなるという問題がある。
【００３２】
この点に関して、図６（Ｂ）に示すように、所定の棚部材５における棚板部３４の前向き傾斜姿勢を変更する必要があるときは、前側孔列２７及び／又は後側孔列２８から選択される前孔２７ａ及び／又は後孔２８ａを変更してそれぞれの支持ピン４ａ、４ｂを挿着せしめれば、棚部材５の前傾姿勢又は後傾姿勢を変更することが可能である。図示実施形態の場合、棚部材５は、背板部３５を抱持部３５ｂにより支持ピン４ｂに吊持され、該支持ピン４ｂを支点として回動できる構成とされているので、図示鎖線で示すように、前孔２７ａに対する支持ピン４ａの位置を変更すれば、棚部材５の全体の傾斜角度を容易に変更することができる。
【００３３】
【発明の効果】
本発明によれば、上述の目的を好適に達成した商品陳列棚装置を提供することができる。
【００３６】
特に、本発明によれば、前縁面６をほぼ円弧状に形成した両側壁体２、２を利用しつつ、両側壁体２、２の相対向する内側面に、前縁面６の円弧とほぼ平行に延びる前側円弧ラインＦＣに沿う前側孔列２７と、後側円弧ラインＲＣに沿う後側孔列２８を設け、前側孔列２７から選ばれた前孔２７ａに挿着した支持ピン４ａにより棚部材５における棚板部３４の前縁下部を支持せしめ、後側孔列２８から選ばれた後孔２８ａに挿着した支持ピン４ｂにより棚部材５における背板部３５の上縁背部を支持せしめる構成であるから、上下多段状に配置した棚部材５・・・５が、それぞれの棚板部３４の載置面を前縁面６の円弧中心に向かう姿勢として取付けられる。即ち、下側に取付けられる棚部材５は、棚板部３４を前向きに上り傾斜姿勢とされ、上側に取付けられる棚部材５は、棚板部３４を前向きに下り傾斜姿勢とされるので、それぞれの棚板部３４に載置した商品を顧客が視認し易く、また取り出し易いという効果がある。
即ち、本発明によれば、前側孔列２７は、両側壁体２、２におけるほぼ円弧状の前縁面６とほぼ平行に延びる前側円弧ラインＦＣに沿って間隔を密にして列設され、後側孔列２８は、該前側円弧ラインＦＣに間隔をあけてほぼ平行に延びる後側円弧ラインＲＣに沿って間隔を密にして列設されており、しかも、上下方向中途部において選択された特定の前孔２７ａと後孔２８ａの何れか一方又は両方を指示するマーク３６が設けられている。そして、各棚部材５は、商品載置面を構成する棚板部３４の後縁から起立せしめられた背板部３５の抱持部３５ｂを後側孔列２８から選択された後孔２８ａに挿着された支持ピン４ｂに回動自在に吊持せしめると共に、棚板部３４の前縁下部を前側孔列２７から選択された前孔２７ａに挿着された支持ピン４ａに載置せしめることにより、棚板部３４の載置面が両側壁体２、２の前縁面６により形成された円弧の中心に向かう姿勢となるように取付けられる。そこで、多数の棚部材５・・・５を多段状に取付けるに際しては、最初に容易に取付けることができる上下方向中途部において、前記マーク３６により指示された孔と支持ピンを介して基準となる棚部材５を取付けると、該棚部材５は棚板部３４の載置面を前縁面６の円弧の中心に向かう姿勢となるように取付けられる。従って、この棚部材５を基準として、以後、上下に取付けられる棚部材５を、順次、隣り合う棚部材５、５の間で棚板部３４と背板部３５が相互に近接するように配置することにより取付ければ、取付け後の全ての棚部材５が棚板部３４の載置面を前記前縁面６の円弧の中心に向かわしめる姿勢で取付けられるという効果がある。
【００３７】
そして、前側孔列２７及び／又は後側孔列２８から選択される前孔２７ａ及び／又は後孔２８ａを変更して支持ピン４を挿着せしめれば、棚部材５の前傾姿勢又は後傾姿勢を変更することができるので、棚板部３４の載置面角度を最適状態に設定できるという利点がある。
【図面の簡単な説明】
【図１】商品陳列棚装置の１実施形態を分解状態で示す斜視図である。
【図２】商品陳列棚装置の１実施形態を組付状態で示す斜視図である。
【図３】１実施形態に係る商品陳列棚装置の縦断面図である。
【図４】商品陳列棚装置の最上端部の近傍部分を示しており、（Ａ）はディスプレイ装置を角度θ１となるように取付けた状態を示す断面図、（Ｂ）はディスプレイ装置を角度θ２となるように取付けた状態を示す断面図である。
【図５】商品陳列棚装置の最下端部の近傍部分に設けた画像信号供給手段のための収納空間部を示す断面図である。
【図６】両側壁体に対する棚部材の取付構造を示しており、（Ａ）は分解状態を示す斜視図、（Ｂ）は組付状態を示す断面図である。
【符号の説明】
１    陳列棚装置
２    側壁体
４（４ａ、４ｂ）  支持ピン
５    棚部材
６    前縁面
８    表示盤
８ａ  正面壁
８ｂ  両側縁壁
９    ディスプレイ装置
１１    下側取付手段
１２    上側取付手段
１７    角度調整手段
１８    画像信号供給手段
１９    収納空間部
２５    開閉板
２７    前側孔列
２７ａ  前孔
２８    後側孔列
２８ａ  後孔
３４    棚板部
３４ｂ  係止部
３５    背板部
３５ｂ  抱持部
【図１】
0003644596.tif 000002
【図２】
0003644596.tif 000003
【図３】
0003644596.tif 000004
【図４】
0003644596.tif 000005
【図５】
0003644596.tif 000006
【図６】
0003644596.tif 000007